(57)【要約】【課題】  従来、パーマを施術する時は、襟首から額にかけて、タオルを巻きつけて液垂れを防止していたが、タオルの場合、吸水性にも限度があり、何度もタオルを巻きつけ取替えたり、垂れた液を乾燥したタオルで拭いたりしていた。【解決手段】  本発明の液垂れ防止ターバンは、吸収体に高分子吸収ポリマー吸収体８を使用し、しかも、高分子吸収ポリマー吸収体を包含するターバンネットには引きの強い樹脂混入の和紙のネット、又は、瞬間吸収性、保水性に優れた長繊維不織布（長い連続した繊維）のネットを使用しているので、皮膚へのフィットもよく、液垂れを完全に防止できる。【選択図】      図３
2006181346.tif 000002
【特許請求の範囲】
【請求項１】
パーマ液の吸収体をネットまたは長繊維不織布で包んだターバンネットと、当該ターバンネットに設けた整髪ネットと、当該整髪ネットに設けた整髪ネット補助帯と、を備えたことを特徴とするパーマ液垂れ防止ターバン。
【請求項２】
前記整髪ネットまたは整髪ネット補助帯は、吸収体をネットまたは長繊維不織布で包んだ構成であることを特徴とする請求項１に記載のパーマ液垂れ防止ターバン。
【請求項３】
前記吸収体は、高分子吸収ポリマーであることを特徴とする請求項１又は２に記載のパーマ液垂れ防止ターバン。
【発明の詳細な説明】
【技術分野】
【０００１】  本発明は、パーマ施術時におけるパーマ液の液垂れを防止するパーマ液垂れ防止ターバンに関するものである。
【背景技術】
【０００２】  従来、パーマ施術時には、タオルを紐状に絞り、それを首筋の生え際から、額の毛髪の生え際に巻きつけて液垂れを防いでいた。しかし、タオルの紐状のものでは、液垂れが防げないため、垂れてきた液を、数回にわたり、乾燥したタオルで拭いていた。また、タオルの吸水性には限度があり、パーマ液の液垂れ防止として、タオルを紐状に絞ったものを何度も取替えることで、次のような問題点が発生していた。【０００３】  タオルを顔と髪の境部に捲着して、タオルの締め具合を調節する度に、タオルが顔に垂れてきて、化粧が崩れていた。【０００４】  タオルの締め具合が強いと、顔が変形した状態で、タオルを取り外すまで我慢せざるを得なかった。【０００５】  タオルの締め具合が少し緩いと、タオルが顔に密着しないため、液が流れて、目に入りそうになっていた。【０００６】  パーマ液を吸収したタオルは、重くなり、強く締着していないと、ずれ落ちていた。【０００７】  パーマ液を吸収したタオルを取替える度に、ロットに当たるため、ロットに巻いた髪が緩んで、思い通りの髪型にならないのではと、不安を感じていた。【０００８】  既に、下記特許文献１に見るようなリング式のものも開発されていたが、ターバンの材質が、薄いタオルを薄いナイロン和紙で包み込んだものであるため、液垂れの液の吸収に問題があった。【０００９】  また、特許文献２に見るような、高吸水性ポリマーを吸収体に使用したターバンも開発されている。しかし、確かに高吸水性ポリマーは吸水性がいいが、その高吸水性ポリマーの防水性カバーが塩化ビニール樹脂シートのため、前記特許文献１同様、液垂れした液の吸収に問題があった。
【特許文献１】  特開２００２−１２５７４４号公報
【特許文献２】  特開２０００−４１７２６号公報
【特許文献３】  登録実用新案第３０６９６１９号公報
【発明の開示】
【発明が解決しようとする課題】
【００１０】  上記した背景技術及び特許文献１、特許文献２の問題を解決するために、本発明は発明されたものである。特許文献１も特許文献２においても、ターバンを巻きつける方法にはそれぞれの特徴があり、それなりに使用方法も考え工夫がなされているが、今ひとつ、垂れた液の吸収方法に問題があった。それは、特許文献１は、薄いタオルを薄いナイロン製和紙で包み込んであるために、薄いタオルは吸水の量の問題があり、また、ナイロン製の和紙は、吸水性が極めて悪いという問題があった。また、特許文献２においては、吸水性抜群の高吸水性ポリマ−を使用しているため、吸水の量については、問題はないが、それを防水性カバーが塩化ビニール樹脂シートに包み込んであるために、垂れた液を吸収するには問題点があった。
【発明を解決するための手段】
【００１１】  本発明は、以上のことを鑑み、発明されたものである。まず、本発明は、液を吸収する本体には、吸水性抜群の高分子吸収ポリマー吸収体を使用し、それを包み込むターバンネットと、整髪ネットと、整髪ネット補助帯の外装材料には、引きの強い樹脂混入の和紙のネットまたは、瞬間吸収性、保水性に優れた長繊維不織布（長い連続した繊維）のネットを使用する。
【００１２】  また、本発明は、使用方法にも特徴を備えている。それは、使用方法が至って簡単であるということである。その使用方法は、別の項で説明する。
【発明の効果】
【００１３】  本発明のパーマ液垂れ防止ターバンを使用することによって、パーマ施術時のパーマ液の液垂れを防止できる。
【００１４】  特に、本発明のパーマ液垂れ防止ターバンは、吸収基材に、高分子吸収ポリマーを使用し、それを包み込む材料に、引きの強い樹脂混入の和紙のネット、または、瞬間吸収性、保水性に優れた長繊維不織布（長い連続した繊維）のネットを使用するため、垂れたパーマ液を完全に吸収させることができる。
【００１５】  この発明のパーマ液垂れ防止ターバンは、使用方法が簡単である。その一つは、吸収体を包含するターバンネットと、ロットで巻いた後の髪を整えるための整髪効果のある整髪ネットと、その補助的に使用する整髪ネット補助帯からなっている。そのため、まず、吸収体を包含するターバンネットのターバン部分を後頭部の襟首の部位から、前頭部の額と髪の境部に捲着して、接着布と接着布を接着して止めるため、額や顔への液垂れが防止できる。
【００１６】  次に、整髪ネットを広げながら、首筋の生え際から前面の額の方向にうまく張着することによって、ロットに巻いた髪が乱れることがなくなる。
【００１７】  更に、ターバンネットの密着加減を考慮しながら、整髪ネット補助帯の接着布を接着布に接着すれば、セットが完了し、作業性が簡単で、スピーディーな施術ができる。
【００１８】  なお、ネットを利用しているため、伸縮性があり、皮膚に密着し、液垂れは完全に防止できる。
【００１９】  また、本発明のパーマ液垂れ防止ターバンは、安価で製造可能なため、使い捨てとして、使用でき、使用後のターバンを洗濯したりする作業がなくなる。
【発明を実施するための最良の形態】
【００２０】  図１は本発明のパーマ液垂れ防止ターバンを示す平面図、図２は背面図、図３及び４は平面詳細図である。図５はターバン部分の断面図、図６は平面完成図、図７は使用図（正面斜視図）、図８は使用図（側面斜視図）である。この発明のパーマ液垂れ防止ターバンでは、高分子吸収ポリマー吸収体８を包含するターバンネット１のターバンネット部分は、引きの強い樹脂混入の和紙のネット、または、瞬間吸収性、保水性に優れた長繊維不織布（長い連続した繊維）のキュプラ（登録商標）繊維素材のネットの素材を使用して製作する。【００２１】  次に、整髪ネット２も引きの強い樹脂混入の和紙のネット、または、瞬間吸収性、保水性に優れた長繊維不織布（長い連続した繊維）のキュプラ（登録商標）繊維素材のネットの素材を使用して製作する。【００２２】  次に、整髪ネット補助帯３は、引きの強い樹脂混入の和紙または、瞬間吸収性、保水性に優れた長繊維不織布（長い連続した繊維）のキュプラ（登録商標）繊維素材のネットの素材を使用して製作する。【００２３】  その三つの部品を、熱接着により、図３のように熱接着する。【００２４】  最後に、高分子吸収ポリマー吸収体８を包含するターバンネット１のターバンネット部分の縁に両面テープ９，１０を貼着し、高分子吸収ポリマー吸収体８を包含するターバンネット１の中央に配設し、折り曲げ線１１より折り曲げ、高分子吸収ポリマー吸収体８を包含し、両面テープ９，１０を接着する。
【実施例１】
【００２５】  吸収体には、他の吸収体を使用してもいいが、現在開発の吸収体としては高分子吸収ポリマー吸収体が最適である。また高分子吸収ポリマー吸収体８を包含するターバンネット１は、伸縮性があり、高分子吸収ポリマー吸収体８の吸収性を疎外しない材質であれば、使用可能である。
【図面の簡単な説明】
【００２６】
【図１】本発明の平面図
【図２】本発明の背面図
【図３】本発明の平面詳細図（ターバン開放の図）
【図４】本発明の平面詳細図（ターバン包合の図）
【図５】本発明のターバン部分の断面図
【図６】本発明の平面完成図
【図７】本発明の使用図（正面斜視図）
【図８】本発明の使用図（側面斜視図）
【符号の説明】
【００２７】１  ターバンネット
２  整髪ネット
３  整髪ネット補助帯
４  接着布
５  接着布
６  接着布
７  接着布
８  高分子吸収ポリマー吸収体
９  両面テープ
１０  両面テープ
【図１】
2006181346.tif 000003
【図２】
2006181346.tif 000004
【図３】
2006181346.tif 000005
【図４】
2006181346.tif 000006
【図５】
2006181346.tif 000007
【図６】
2006181346.tif 000008
【図７】
2006181346.tif 000009
【図８】
2006181346.tif 000010